(57)【要約】【課題】親指の爪を台座に対して略平行に維持する。【解決手段】平板状の台座２１ａと、台座２１ａの上側に設けられた指置部２２と、台座２１ａの下側であって、指置部２２の下部近傍に設けられた円柱状の把持部２３と指置部２２に置かれた指の爪に対して印刷を施すプリントヘッド４６と、を備える。利用者は、親指を指置部２２の孔に挿入し、小指、薬指、中指、人差し指で把持部２３を掴む。なお、把持部２３は、指置部２２の孔の方向と台座２１ａの垂線とが交わる面に対して左右対称であることが好ましい。【選択図】図５
2019025258.tif 000002
【特許請求の範囲】
【請求項１】
台座と、
前記台座の上側に設けられた指置部と、
前記台座の下側であって、前記指置部の下部近傍に設けられた把持部と
前記指置部に置かれた指の爪に対して印刷を施すプリントヘッドと、
を備えるネイルプリント装置。
【請求項２】
前記指置部は、
前記指を通す孔を備える
請求項１に記載のネイルプリント装置。
【請求項３】
前記把持部は、前記孔の方向と前記台座の垂線とが交わる面に対して左右対称である
ことを特徴とする請求項２に記載のネイルプリント装置。
【請求項４】
前記把持部は、前記台座の下面に固定され、当該台座の下方に突出したものである請求項１乃至請求項３の何れか一項に記載のネイルプリント装置。
【請求項５】
前記把持部は、前記指置部と一体に構成されている請求項１乃至請求項３の何れか一項に記載のネイルプリント装置。
【請求項６】
前記把持部は、前記台座から取り外し可能である請求項１乃至請求項５の何れか一項に記載のネイルプリント装置。
【請求項７】
前記把持部は、上端面及び下端面の両端面が固定されている
ことを特徴とする請求項１乃至請求項４の何れか一項に記載のネイルプリント装置。
【請求項８】
前記指の腹を載置する載置台をさらに備える
ことを特徴とする請求項１乃至請求項７の何れか一項に記載のネイルプリント装置。
【請求項９】
前記載置台を前記指置部の内面に押圧する弾性部材をさらに備える
ことを特徴とする請求項８に記載のネイルプリント装置。
【請求項１０】
前記把持部は、前記指置部に第１の指を挿入している場合に把持され、
前記台座は前記指置部に前記第１の指以外の指を挿入している場合に、挿入された指以外の指を
載置可能であることを特徴とする請求項１乃至請求項９の何れか一項に記載のネイルプリント装置。
【発明の詳細な説明】
【技術分野】
【０００１】
本発明は、ネイルプリント装置に関する。
【背景技術】
【０００２】
ネイルプリント装置は、印刷しようとする爪の指（印刷指）を、装置本体に設けた載置台上に載置し、この印刷指の爪に印刷するプリント装置である。しかしながら、印刷指を載置台上に載せただけの場合には、手が不安定な状態にあるため、手や腕の動きが印刷指に伝わり、印刷指が動いてしまう虞がある。印刷中に印刷指が動いて位置がずれると絵柄等を正しく爪に印刷することができず、印刷エラーが生じてしまう。
【０００３】
そこで、従来、ネイルプリント装置において、印刷指が動かないように、装置固定の指置き場に印刷指を置き、指置台材で印刷指を固定するものが知られている（例えば、特許文献１，２参照）。ここで、特許文献１の指置台材は、ホルダ等であり、特許文献２の指置台材は、流体の注入により膨張して挿入された印刷指を流体の圧力により固定するものである。
【先行技術文献】
【特許文献】
【０００４】
【特許文献１】特表２００３−５３４０８３号公報
【特許文献２】特開２０１２−１５２４１０号公報
【発明の概要】
【発明が解決しようとする課題】
【０００５】
ところで、平板に手を載置すると、小指、薬指、中指、人差し指の爪は平板に対して、略平行になるが、親指の爪は、平板に対して、傾斜するのが通常である。このため、平板に載置された親指の爪に印刷しようとすると、印刷データを爪の傾斜に合わせる必要がある。ここで、爪の傾斜角は、個人差があるので、印刷データの作成は困難が多い。
【０００６】
本発明は、このような問題を解決するためになされたものであり、親指の爪が台座に対して略平行に維持されるネイルプリント装置を提供することを目的とする。
【課題を解決するための手段】
【０００７】
前記課題を解決するために、本発明のネイルプリント装置は、平板状の台座（２１ａ）と、前記台座の上側に設けられた指置部（２２）と、前記台座の下側であって、前記指置部の下部近傍に設けられた把持部（２３）と前記指置部に置かれた指の爪に対して印刷を施すプリントヘッド（４６）と、を備える。なお、（  ）内の符号や文字は例示である。
【０００８】
利用者は、親指を指置部の孔に挿入し、小指、薬指、中指、人差し指で把持部を掴むことができる。これにより、親指の爪は、台座に対して略平行に維持される。つまり、親指の爪は、プリントヘッドの移動面に対して平行に維持される。
【発明の効果】
【０００９】
本発明によれば、親指の爪が台座に対して略平行に維持される。
【図面の簡単な説明】
【００１０】
【図１】本実施形態におけるネイルプリント装置の外観を示す斜視図である。
【図２】本実施形態におけるネイルプリント装置の正面側の断面図である。
【図３】ネイルプリント装置の側断面図である。
【図４】本実施形態における指置部の概略構成図である。
【図５】本実施形態における指置部の孔に親指を挿入した状態を示す側面図である。
【図６】本実施形態における指置部の孔に親指を挿入した状態を示す平面図、及び後面図である。
【図７】本実施形態における指置部の孔に人差指を挿入した状態を示す平面図である。
【図８】比較例における指置部の概略構成図である。
【図９】比較例における指置部の孔に親指を挿入した状態を示す図である。
【図１０】親指を指置部の孔に挿入し、小指、薬指、中指、人差し指と掌とを密着させるように握った状態を示す図である。
【図１１】変形例における指置部の概略構成図である。
【発明を実施するための形態】
【００１１】
以下、図面を参照して、本発明の実施の形態（以下、「本実施形態」と称する）につき詳細に説明する。なお、各図は、本実施形態を十分に理解できる程度に、概略的に示してあるに過ぎない。また、各図において、共通する構成要素や同様な構成要素については、同一の符号を付し、それらの重複する説明を省略する。
【００１２】
（実施形態）
図１は、本実施形態におけるネイルプリント装置の外観を示す斜視図である。
【００１３】
図１に示すように、このネイルプリント装置１は、ケース本体２及び蓋体４を備えている。このケース本体２及び蓋体４は、ケース本体２の上面後端部に設けたヒンジ３を介して、互いに連結されている。
【００１４】
ケース本体２は、平面視で長円状に形成されている。ケース本体２は、前側に開閉板２ｃを起倒可能に設けている。この開閉板２ｃは、ケース本体２の前面下端部に設けたヒンジ（図示せず）を介して、ケース本体２に連結されている。この開閉板２ｃは、ケース本体２の前面を開閉するためのものであり、開放状態において、平板状の台座２１ａを含む指置台２０が露出する。指置台２０は、台座２１ａの上方に印刷指挿入部２５ａ（図１）が形成され、台座２１ａの下方に非印刷指挿入部２５ｂが形成される。また、ケース本体２の天板２ｆには複数の操作釦１２１が設置されており、天板２ｆのほぼ中央部には表示部１３が配設されている。なお、ケース本体２及び蓋体４の形状や構成は、ここに例示したものに限定されない。
【００１５】
また、図２は、本実施形態に係るネイルプリント装置の正面側の断面図であり、図３は、ネイルプリント装置の側断面図である。
【００１６】
図２及び図３に示すように、ケース本体２にはネイルプリント装置１の装置本体１０が収容されている。この装置本体１０は、指置台２０（２０ａ）、撮影部３０、印刷部４０及び制御部５０を備えている。これら指置台２０、撮影部３０、印刷部４０及び制御部５０は、下部機枠１１ａ及び上部機枠１１ｂによって構成されている機枠１１に設けられている。そして、下部機枠１１ａは、ケース本体２の内部下方に設置された箱状に形成されている。上部機枠１１ｂは、下部機枠１１ａの上方で且つケース本体２の内部上方に設置されている。
【００１７】
指置台２０（２０ａ）は、機枠１１の中の下部機枠１１ａに設けられている。指置台２０は、下部機枠１１ａに形成された枠体２１と、指置部２２と、把持部２３と、載置台２４とを備える。また、枠体２１は、平板状の台座２１ａを含み、上下に印刷指挿入部２５ａ（図１）及び非印刷指挿入部２５ｂが形成される。
【００１８】
図４は、本実施形態における指置台の概略構成図であり、図４（ａ）が指置台の正面図であり、図４（ｂ）が指置台の側面図である。
指置台２０ａは、枠体２１と、指置部２２と、把持部２３と、載置台２４とを備え、枠体２１は、平板状の台座２１ａと、左側板２１ｂと、右側板２１ｃと、下板２１ｄとを備える。指置部２２は、台座２１ａの上側に設けられており、手指を通す孔２２ａが形成された環状部材である。
【００１９】
把持部２３は、指置部２２の孔２２ａに親指を通したときに、小指、薬指、中指、人差し指で把持する部材である。把持部２３は、台座２１ａの下面に固定されており、台座２１ａの下方に突出したものである。把持部２３は、一方の端面が台座２１ａに固定された円柱形状であるので、孔２２ａの方向と台座２１ａの垂線とが交わる面に対して左右対称に形成されている。このため、把持部２３は、右手でも左手でも違和感なく握ることができる。
なお把持部２３は指置台２０ａと一体に構成され、指置台２０ａとともに台座２１ａから取り外し可能な構成としてもよい。
【００２０】
載置台２４は、指の腹を載置する台であり、上面２４ａが指先の腹の形状（凹面形状）を呈している。載置台２４は、指置台２０の後部であって、台座２１ａの上側に設けられている。なお、載置台２４は、弾性部材を用いて上方に手指を押圧する押圧部材として機能させても構わない。これにより、指が指置部２２の孔２２ａの上側に当接するので、爪の位置（高さ）が一定になる。
【００２１】
図５は、本実施形態における指置部の孔に親指を挿入した状態を示す側面図であり、図６は、本実施形態における指置部の孔に親指を挿入した状態を示す平面図、及び後面図である。
ネイルプリント装置１の利用者は、親指を指置部２２の孔２２ａに挿入する。これにより、中指の腹は、載置台２４の上側に載置（保持）される。これにより、親指の腹が載置台２４の上面２４ａ（図４（ｂ））の凹面形状に沿うので、利用者は、触覚に違和感を感じない。また、利用者は、小指、薬指、中指、人差し指で把持部２３を強く握る。この把持により、親指の位置が安定になり、且つ爪が台座２１ａと平行になる（図６（ｂ））。これにより、プリントヘッド４６は、目標位置に正確にインクを吐出することができる。なお、図５，６は、左手で把持部２３を握っている様子を示している。また把持部２３の上端面を台座２１ａに固定したが下端面も下板２１ｄに固定するようにしてもよい。
【００２２】
図７は、本実施形態における指置部の孔に人差し指を挿入した状態を示す平面図である。
ネイルプリント装置１の利用者は、小指、薬指、中指、人差し指の何れか一本を指置部２２の孔２２ａに挿入し、他の複数の指を台座２１ａの上側に載置する。例えば、図７においては、利用者は、中指を孔２２ａに挿入し、小指、薬指、人差し指を台座２１ａの上側に載置している。ここで、中指の腹は、載置台２４の上面２４ａ（図４（ｂ））に載置（保持）される。
【００２３】
ここで、図２，３の断面図の説明に戻る。
撮影部３０は、上部機枠１１ｂに設けられており、基板３１と、カメラ３２と、複数の照明灯３３とを備える。複数の照明灯３３は、カメラ３２を囲むように配設された白色ＬＥＤである。撮影部３０は、台座２１ａに載置された指や、指置部２２の孔２２ａに挿入された指を照明灯３３によって照明し、カメラ３２によって爪を撮影する撮影手段である。
【００２４】
印刷部４０は、上部機枠１１ｂに設けられており、印刷対象である手指の爪に色や模様等の画像を形成する画像形成手段である。印刷部４０は、ガイドロッド４１、主キャリッジ４２、モータ４３，４７、ガイドロッド４４、副キャリッジ４５、プリントヘッド４６等を備えて構成されている。
【００２５】
２本のガイドロッド４１は、上部機枠１１ｂの両側板に平行に架設されている。主キャリッジ４２は、ガイドロッド４１に対して摺動自在に設置されている。２本のガイドロッド４４は、主キャリッジ４２の前壁４２ａ及び後壁４２ｂに平行に架設されている。副キャリッジ４５は、ガイドロッド４４対して摺動自在に設置されている。そして、副キャリッジ４５の下面中央部にプリントヘッド４６が搭載されている。
【００２６】
また、主キャリッジ４２は、動力伝達手段（図示せず）を介してモータ４３に連結されており、ガイドロッド４１に沿って左右方向に移動するように構成されている。また、副キャリッジ４５は、動力伝達手段（図示せず）を介してモータ４７に連結されており、ガイドロッド４４に沿って前後方向に移動するように構成されている。これにより、プリントヘッド４６は、前後左右方向に自在に移動することが出来る。
【００２７】
プリントヘッド４６は、被印字媒体（爪）に対して、微滴化されたインクを吐出して、印刷を行うインクジェット方式である。なお、プリントヘッド４６の印刷方式はインクジェット方式に限定されない。
【００２８】
（比較例１）
図８は、比較例における指置部の概略構成図である。
指置台２０ｂは、枠体２１と、指置部２２と、載置台２４とを備え、枠体２１は、平板状の台座２１ａと、左側板２１ｂと、右側板２１ｃと、下板２１ｄとから構成される。つまり、比較例の指置台２０ｂは、前記実施形態の指置台２０ａと比較して、把持部２３を備えていない点で相違する。
【００２９】
図９は、比較例における指置部の孔に親指を挿入した状態を示す図であり、図９（ａ）が平面図であり、図９（ｂ）が後面図である。
ネイルプリント装置１の利用者は、親指を指置部２２の孔２２ａに挿入し、小指、薬指、中指、人差し指を台座２１ａの上側に載置する（図９（ａ）参照）。このとき、親指は、台座２１ａに対して傾斜してしまい（図９（ｂ）参照）、親指の腹が載置台２４の上面２４ａ（図４（ｂ））の凹部形状と一致しない。これにより、利用者は、親指の腹に違和感を感じてしまう。
【００３０】
これに対して、前記実施形態の指置台２０ａは、円柱形状の把持部２３を備え、利用者が小指、薬指、中指、人差し指を把持部２３を把持する構成になっていた。このため、親指の爪は、台座２１ａと略平行になる（図６（ｂ）参照）。これにより、親指の腹は、載置台２４の凹部形状に沿い、利用者は、違和感を感じない。
【００３１】
（比較例２）
図１０は、親指を指置部の孔に挿入し、小指、薬指、中指、人差し指と掌とを密着させるように握った状態を示す図である。
つまり、図１０は、指置台２０ｂ（図８）を用い、親指を指置部２２の孔２２ａに挿入し、小指、薬指、中指、人差し指を台座２１ａに載置することなく、小指、薬指、中指、人差し指と掌とを密着させるように握った状態である。前記実施形態のように、中指の腹は、載置台２４の上面２４ａに載置（保持）される。これにより、親指の腹は、載置台２４の凹面形状に沿い、利用者は、触覚に違和感を感じない。しかしながら、小指、薬指、中指、人差し指は、固定されていないので、親指の位置が安定になってしまう。これに対して、前記実施形態の指置台２０ａは、円柱形状の把持部２３を備え、利用者が小指、薬指、中指、人差し指を把持部２３を把持する構成になっていた。このため、親指の位置が固定される。
【００３２】
（変形例）
本発明は前記した実施形態に限定されるものではなく、例えば、以下のような種々の変形が可能である。
（１）前記実施形態の把持部２３は、円柱形状とし、一方の端面を台座２１ａに固定したが、半円柱体（いわゆる蒲鉾形状）にすることもできる。
図１１は、変形例における指置部の概略構成図であり、図１１（ａ）が正面図であり、図１１（ｂ）が右側面図である。
指置台２０ｃは、枠体２１と、指置部２２と、載置台２４と、把持部２６とを備え、枠体２１は、平板状の台座２１ａと、左側板２１ｂと、右側板２１ｃと、下板２１ｄとから構成される。つまり、変形例の指置台２０ｃは、前記実施形態の指置台２０ａと比較して、把持部２３が把持部２６に代わった点で相違する。
【００３３】
把持部２６は、半円柱体であり、円柱を切断した矩形状の切断面２６ａを台座２１ａの下面に固定し、台座２１ａの下方に突出したものである。また、把持部２６の切断面の長辺の一方は、台座２１ａの前側端部に略一致している。
これにより、利用者は、親指を指置部２２の孔２２ａに挿入し、小指、薬指、中指、人差し指で把持部２６を掴むことができる。また、把持部２６は、左右対称に配設されているので、右手でも、左手でも掴むことができる。
【００３４】
〔付記〕
＜請求項１＞
台座と、
前記台座の上側に設けられた指置部と、
前記台座の下側であって、前記指置部の下部近傍に設けられた把持部と
前記指置部に置かれた指の爪に対して印刷を施すプリントヘッドと、
を備えるネイルプリント装置。
＜請求項２＞
前記指置部は、
前記指を通す孔を備える
請求項１に記載のネイルプリント装置。
＜請求項３＞
前記把持部は、前記孔の方向と前記台座の垂線とが交わる面に対して左右対称である
ことを特徴とする請求項２に記載のネイルプリント装置。
＜請求項４＞
前記把持部は、前記台座の下面に固定され、当該台座の下方に突出したものである請求項１乃至請求項３の何れか一項に記載のネイルプリント装置。
＜請求項５＞
前記把持部は、前記指置部と一体に構成されている請求項１乃至請求項３の何れか一項に記載のネイルプリント装置。
＜請求項６＞
前記把持部は、前記台座から取り外し可能である請求項１乃至請求項５の何れか一項に記載のネイルプリント装置。
＜請求項７＞
前記把持部は、上端面及び下端面の両端面が固定されている
ことを特徴とする請求項１乃至請求項４の何れか一項に記載のネイルプリント装置。
＜請求項８＞
前記指の腹を載置する載置台をさらに備える
ことを特徴とする請求項１乃至請求項７の何れか一項に記載のネイルプリント装置。
＜請求項９＞
前記載置台を前記指置部の内面に押圧する弾性部材をさらに備える
ことを特徴とする請求項８に記載のネイルプリント装置。
＜請求項１０＞
前記把持部は、前記指置部に第１の指を挿入している場合に把持され、
前記台座は前記指置部に前記第１の指以外の指を挿入している場合に、挿入された指以外の指を
載置可能であることを特徴とする請求項１乃至請求項９の何れか一項に記載のネイルプリント装置。
【符号の説明】
【００３５】
１  ネイルプリント装置
１０  装置本体
２０，２０ａ，２０ｂ，２０ｃ  指置台
２１  枠体
２１ａ  台座
２１ｂ  左側板
２１ｃ  右側板
２１ｄ  下板
２２  指置部
２２ａ  孔
２３，２６  把持部
２４  載置台
４６  プリントヘッド
５０  制御部
【図１】
2019025258.tif 000003
【図２】
2019025258.tif 000004
【図３】
2019025258.tif 000005
【図４】
2019025258.tif 000006
【図５】
2019025258.tif 000007
【図６】
2019025258.tif 000008
【図７】
2019025258.tif 000009
【図８】
2019025258.tif 000010
【図９】
2019025258.tif 000011
【図１０】
2019025258.tif 000012
【図１１】
2019025258.tif 000013